(57)【要約】【課題】既存の回転印に取り付けて、印字された複数桁の数字等のＯＣＲによる読み取り精度を高くすることができるベルトガイド体及び該ベルトガイド体を取り付けた回転印を提供する。【解決手段】ベルトガイド体１は、表面に複数の字印１０ａが形成された複数の無端状ベルト１０を並行状態で各別に嵌入可能な複数の凹部１ｃを有し、回転印Ａの印字用受け部６と複数のベルト回動軸７との間に掛け渡された複数の無端状ベルト１０の夫々が複数の凹部１ｃの夫々に嵌入する状態で印字用受け部６に隣り合うように取り付けてある。ベルトガイド体１の凹部１ｃは板材の縁部に板金加工によって形成してある。【選択図】図３
0003158285.tif 000002
【実用新案登録請求の範囲】
【請求項１】
表面に複数の字印が形成された複数の無端状ベルトを並行状態で各別に嵌入可能な複数の凹部を有することを特徴とするベルトガイド体。
【請求項２】
板材の縁部に前記凹部を形成してあることを特徴とする請求項１に記載のベルトガイド体。
【請求項３】
前記凹部を板金加工によって形成してあることを特徴とする請求項２に記載のベルトガイド体。
【請求項４】
表面に複数の字印が形成され、並行している複数の無端状ベルトの裏面側を受け止める印字用受け部と、前記無端状ベルトを各別に送り操作するためのダイヤルを備え、回動自在に支持された複数のベルト回動軸とを有し、前記印字用受け部と各ベルト回動軸との間に前記無端状ベルトを掛け渡してある回転印において、
請求項１〜３の何れか１項に記載のベルトガイド体を前記複数の凹部の夫々に前記複数の無端状ベルトの夫々が嵌入する状態で前記印字用受け部に隣り合うように取り付けてあることを特徴とする回転印。
【請求項５】
前記ベルトガイド体の凹部をベルト送り方向における前記印字用受け部の両側に配置してあることを特徴とする請求項４に記載の回転印。
【考案の詳細な説明】
【技術分野】
【０００１】
本考案は、既存の回転印に取り付けることができるベルトガイド体、及び該ベルトガイド体を取り付けた回転印に関する。
【背景技術】
【０００２】
最近、流通、販売等の分野において、商品や包装容器等の表面に印字された複数桁の数字等を機械的に読み取る技術（光学式文字認識、以下、ＯＣＲと略す）が使用されている。この場合、ＯＣＲによる読み取り精度（成功率）を高くするためには、ＯＣＲの印字仕様（ＪＩＳ  Ｘ  ９００４）を満足するように、印字された複数桁の数字等が均一な間隔で整列していることが重要である。例えば、隣り合う数字等が近接し過ぎて文字間余白が狭くなった場合は両方の数字等が分離して認識することができず、逆に隣り合う数字等が離れ過ぎて文字間間隔（ピッチ）が大きくなった場合は別の複数桁の数字等と認識する。いずれの場合もＯＣＲの印字仕様の規格値を外れ、読み取り精度が低下し、又は読み取り不良となる。
【０００３】
回転印では、従来、印字後の体裁（見た目）を良くする目的で、印字用受け部のベルト受面に、並行する複数の無端状ベルトの間に位置する突条又は各ベルトが嵌入する凹溝を設け、数字等の印字の横ずれを防止するようにした構造が公知である（特許文献１参照）。また、印字用受け部のベルト送り方向に交差する方向の両端部に、両端側のベルトの外側端に当接して横ずれを防止するガイド突片を設けた構造が公知である（特許文献２参照）。
【先行技術文献】
【特許文献】
【０００４】
【特許文献１】実開昭５５−１７７４６１号公報
【特許文献２】実開昭６３−１２４１５７号公報
【考案の概要】
【考案が解決しようとする課題】
【０００５】
特許文献１及び２に記載された従来の回転印は、無端状ベルトの裏面側を受け止める印字用受け部自体に複数の無端状ベルトに対するガイド部（突条、凹溝、突片）を形成していたので、専用の回転印を製作する必要があった。また、特許文献１に記載された回転印では、印字用受け部をプラスチックの一体成形で作製しているので、少量生産の場合にはコスト高になる不都合もあった。
【０００６】
本願考案は、上述したような事情に鑑みてなされたものであり、既存の回転印に取り付けて、印字された複数桁の数字等の読み取り精度を高くすることができるベルトガイド体、及び、該ベルトガイド体を取り付けた回転印を提供することを目的とする。
【課題を解決するための手段】
【０００７】
第１の考案に係るベルトガイド体は、表面に複数の字印が形成された複数の無端状ベルトを並行状態で各別に嵌入可能な複数の凹部を有することを特徴とする。
【０００８】
第１の考案においては、表面に複数の字印が形成された複数の無端状ベルトを並行状態で備える回転印に、複数の無端状ベルトの夫々がベルトガイド体の複数の凹部の夫々に嵌入するようにしてベルトガイド体を取り付ける。これにより、複数の無端状ベルトはベルトガイド体の各凹部に保持されるので、各無端状ベルトで印字された複数桁の数字等の文字間余白及び文字間隔等が適正に維持される。
【０００９】
第２の考案に係るベルトガイド体は、第１の考案において、板材の縁部に前記凹部を形成してあることを特徴とする。
【００１０】
第２の考案においては、縁部に前記凹部を形成してある板材を回転印側の部材の表面に板面が接するように接着等にて固定することにより、ベルトガイド体を回転印に取り付けることができる。
【００１１】
第３の考案に係るベルトガイド体は、第２の考案において、前記凹部を板金加工によって形成してあることを特徴とする。
【００１２】
第３の考案においては、金属板の縁部を板金加工して切り欠き、該切欠部を前記凹部として形成する。
【００１３】
第４の考案に係る回転印は、表面に複数の字印が形成され、並行している複数の無端状ベルトの裏面側を受け止める印字用受け部と、前記無端状ベルトを各別に送り操作するためのダイヤルを備え、回動自在に支持された複数のベルト回動軸とを有し、前記印字用受け部と各ベルト回動軸との間に前記無端状ベルトを掛け渡してある回転印において、第１〜第３の何れかの考案に係るベルトガイド体を前記複数の凹部の夫々に前記複数の無端状ベルトの夫々が嵌入する状態で前記印字用受け部に隣り合うように取り付けてあることを特徴とする。
【００１４】
第４の考案においては、表面に複数の字印が形成され、並行している複数の無端状ベルトが、裏面側を印字用受け部で受け止められ、印字用受け部に隣り合うように取り付けてあるベルトガイド体の複数の凹部の夫々に複数の無端状ベルトの夫々が嵌入する状態で印字用受け部と複数のベルト回動軸との間に掛け渡され、各ベルト回動軸に備えたダイヤルを回転させて無端状ベルトを各別に送り操作することができる。この場合に、複数の無端状ベルトはベルトガイド体の各凹部に保持されているので、各無端状ベルトで印字された複数桁の数字等の文字間余白及び文字間隔等が適正に維持される。
【００１５】
第５の考案に係る回転印は、第４の考案において、前記ベルトガイド体の凹部をベルト送り方向における前記印字用受け部の両側に配置してあることを特徴とする。
【００１６】
第５の考案においては、複数の無端状ベルトはベルト送り方向における印字用受け部の両側に配置してあるベルトガイド体の各凹部に保持されるので、各無端状ベルトで印字された複数桁の数字等の文字間余白及び文字間隔等がより適正に維持される。
【考案の効果】
【００１７】
第１の考案によれば、既存の回転印に取り付けて、印字された複数桁の数字等の読み取り精度を高くすることができるベルトガイド体が提供される。
【００１８】
第２の考案によれば、ベルトガイド体をなす板材を板面が回転印側の部材表面に接する状態で固定するので、回転印への取り付けが確実でありかつ容易であるベルトガイド体が提供される。
【００１９】
第３の考案によれば、金属板の縁部を板金加工して凹部を形成するので、寸法精度及び剛性を確保しつつ、少量生産にも適したベルトガイド体が提供される。
【００２０】
第４の考案によれば、本考案に係るベルトガイド体が取り付けられ、印字された複数桁の数字等の読み取り精度が高い回転印が提供される。
【００２１】
第５の考案によれば、印字された複数桁の数字等の読み取り精度がより高い回転印が提供される。
【図面の簡単な説明】
【００２２】
【図１】本考案の第１の実施形態に係るベルトガイド体を示す正面図である。
【図２】図１のＩＩ−ＩＩ線における断面図である。
【図３】図１のベルトガイド体を取り付けた回転印の一例を示す正面図である。
【図４】図３のＩＶ−ＩＶ線における断面図である。
【図５】本考案の第１の実施形態に係るベルトガイド体の変形例を示す断面図である。
【図６】本考案の第２の実施形態に係るベルトガイド体を示す断面図である。
【図７】図６のベルトガイド体を取り付けた回転印の要部断面図である。
【図８】本考案の第３の実施形態に係るベルトガイド体を示す正面図である。
【図９】図８のベルトガイド体を取り付けた回転印の要部断面図である。
【図１０】本考案のベルトガイド体の寸法精度を説明する図である。
【考案を実施するための形態】
【００２３】
以下、本考案に係るベルトガイド体及び該ベルトガイド体を取り付けた回転印の実施の形態について説明する。図１は本考案の第１の実施形態に係るベルトガイド体を示す正面図、図２は図１のＩＩ−ＩＩ線における断面図、図３は図１のベルトガイド体を取り付けた回転印の一例を示す正面図、図４は図３のＩＶ−ＩＶ線における断面図である。
【００２４】
第１の実施形態に係るベルトガイド体１は、正面視が長方形の基板部１ａと、基板部１ａの一方の長辺側の縁部から板面に沿って突出した複数の突起１ｂとを有している。複数の突起１ｂは長辺方向に等間隔で並んでおり、隣り合う突起１ｂの間に凹部１ｃが形成されている。ベルトガイド体１は鉄、アルミニウム、真ちゅう等の金属板を板金加工して製作される。例えば精密な寸法精度の加工が可能であるレーザーカッターによる方法が好ましい。
【００２５】
回転印Ａは、天板２ａ及び天板２ａの両端部に連設された一対の側板２ｂを備え、正面視がコの字形である枠体２と、枠体２の天板２ａの上面中央に取り付けた柄３と、一対の側板２ｂの上部側箇所に架設され、両端がねじ５で側板２ｂに固定された固定軸４と、枠体２の側板２ｂの下端部間に架設された印字用受け部６とを有している。印字用受け部６は板材を折り曲げ加工したものであり、無端状ベルト１０の裏面側を受け止める長方形状の底板６ａと、底板６ａの両方の長辺縁部から上方に屈曲した側板６ｂと、底板６ａの両方の短辺縁部から上方に屈曲した側板６ｃとを有している。そして印字用受け部６は、底板６ａが枠体２の側板２ｂの下端先端に突き当たり、側板６ｃの裏面側が枠体２の側板２ｂの表面に当接することにより保持されている。固定軸４には、複数の円板型のベルト回動軸７が枢支され、各ベルト回動軸７の軸方向の一方端にはベルト回動軸７と同軸で大径のダイヤル８が固着されている。
【００２６】
印字用受け部６のベルト送り方向の両側面に前記ベルトガイド体１が夫々取り付けられている。具体的には各ベルトガイド体１の基板部１ａが接着剤又は両面テープ等により印字用受け部６の各側板６ｂの表面に接着されている。そして、表面に複数の字印１０ａが形成され、並行状態の複数の無端状ベルト１０が、ベルトガイド体１の各凹部１ｃに嵌入する状態で複数のベルト回動軸７と印字用受け部６との間に掛け渡してある。尚、図３では無端状ベルト１０が６つの場合を示すが、一部の無端状ベルト１０は図示を省略しており、また印字用受け部６は断面を示している。ベルトガイド体１は突起１ｂの先端が無端状ベルト１０の字印１０ａよりも突き出ないように取り付けている。
【００２７】
以上説明したベルトガイド体１では、複数の突起１ｂが基板部１ａの板面と平行に突出するようにしたが、これに限るものではない。図５は本考案の第１の実施形態に係るベルトガイド体の変形例を示す断面図である。図５（イ）は、ベルトガイド体１の突起１ｂを印字用受け部６の側板６ｂの面に対して外向きに直角方向に向くように基板部１ａの板面に対して屈曲させており、図５（ロ）は、ベルトガイド体１の突起１ｂを印字用受け部６の受け面（底板６ａの表面）の側に向くように基板部１ａの板面に対して斜めに屈曲させている。
【００２８】
次に、ベルトガイド体１の別の実施形態について説明する。
図６は本考案の第２の実施形態に係るベルトガイド体を示す断面図、図７は図６のベルトガイド体を取り付けた回転印の要部断面図である。
第２の実施形態に係るベルトガイド体１では、基板部１ａの突起１ｂとは反対側の端部に、基板部１ａと平行に折り返すように屈曲部１ｄを連設してある。基板部１ａと屈曲部１ｄとの間隔は印字用受け部６の側板６ｂの板厚と同程度又は僅かに狭く形成してあり、印字用受け部６の側板６ｂを基板部１ａと屈曲部１ｄとの間に差し込んで挟持し、ベルトガイド体１を印字用受け部６に取り付けている。
【００２９】
図８は本考案の第３の実施形態に係るベルトガイド体を示す正面図、図９は図８のベルトガイド体を取り付けた回転印の要部断面図である。
第３の実施形態に係るベルトガイド体１では、前記突起１ｂを基板部１ａの両側の長辺に設けている。両側の突起１ｂの凹部１ｃに無端状ベルト１０が嵌入するように基板部１ａを印字用受け部６の側板６ｂ及び６ｃの基端部箇所に接着等によって取り付けている。
【００３０】
次に、本考案のベルトガイド体を取り付けた回転印による印字が「光学式文字認識のための印字仕様（ＪＩＳ  Ｘ  ９００４）」を満足するためのベルトガイド体の寸法について説明する。図１０は本考案のベルトガイド体の寸法精度を説明する図である。
ＪＩＳ規格では、例えばサイズＩＶのＯＣＲフォントＡを使用する場合、文字間余白は、０．５１ｍｍ以上が必要であると規定されているので、これを確保するために、各突起１ｂの幅Ｈは０．５１ｍｍとし、また、文字間間隔は、２．３０〜４．６０ｍｍが必要であると規定されているので、これを確保するために、隣り合う突起１ｂのピッチＰは２．３０〜４．６０ｍｍの範囲内の値としている。
【００３１】
上記第１〜第３の実施形態では、ベルトガイド体１の凹部１ｃをベルト送り方向における印字用受け部６の両側に配置するようにしたが、ベルト送り方向における印字用受け部６の片側にだけ配置してもよい。
【００３２】
上記第１〜第３の実施形態では、ベルトガイド体１を板金加工によって製作したが、プラスチックの一体成形にて製作してもよい。
【符号の説明】
【００３３】
１  ベルトガイド体、１ｃ  凹部、６  印字用受け部、７  ベルト回動軸、８  ダイヤル、１０  無端状ベルト、１０ａ  字印
【図１】
0003158285.tif 000003
【図２】
0003158285.tif 000004
【図３】
0003158285.tif 000005
【図４】
0003158285.tif 000006
【図５】
0003158285.tif 000007
【図６】
0003158285.tif 000008
【図７】
0003158285.tif 000009
【図８】
0003158285.tif 000010
【図９】
0003158285.tif 000011
【図１０】
0003158285.tif 000012